(57)【要約】【課題】ファイティングベルト等の竿尻支持具の係止ピンに確実に係合しかつ引張り力にも対抗することができる釣竿用ギンバル及びこれを備えた釣竿を提供する。【解決手段】釣竿の竿尻を支持する竿尻支持具の係止ピン２０３と係合するために竿尻に装着されるギンバル１であって、略円筒形のギンバル本体１Ａと、前記ギンバル本体１Ａの後端面１Ａ２における一つの直径Ｄに沿って延在する溝であって前記係止ピン２０３を差し込み可能な差込溝１Ｅと、前記差込溝１Ｅに連続する空間であって前記差込溝１Ｅから差し込まれた前記係止ピン２０３が前記ギンバル本体１Ａの軸の周りの所定の角度範囲αで回動可能な回動空間１Ｆと、を備える。【選択図】図２
2019154270.tif 000002
【特許請求の範囲】
【請求項１】
釣竿の竿尻を支持する竿尻支持具の係止ピン（２０３）と係合するために釣竿に装着される釣竿用ギンバル（１）であって、
略円筒形のギンバル本体（１Ａ）と、
前記ギンバル本体（１Ａ）の後端面（１Ａ２）における一つの直径（Ｄ）に沿って延在する溝であって前記係止ピン（２０３）を差し込み可能な差込溝（１Ｅ）と、
前記差込溝（１Ｅ）に連続する空間であって前記差込溝（１Ｅ）から差し込まれた前記係止ピン（２０３）が前記ギンバル本体（１Ａ）の軸の周りの所定の角度範囲（α）で回動可能な回動空間（１Ｆ）と、を備えたことを特徴とする釣竿用ギンバル。
【請求項２】
前記角度範囲（α）が３０°〜９０°の範囲内であることを特徴とする請求項１に記載の釣竿用ギンバル。
【請求項３】
前記釣竿に装着するために前記ギンバル本体（１Ａ）の前端面（１Ａ１）から軸方向前方に突出する装着部（１Ｂ）を有し、前記装着部（１Ｂ）が、前方側の螺子部（１Ｂ１）と、後方側の円筒部（１Ｂ２）とを有することを特徴とする請求項１又は２に記載の釣竿用ギンバル。
【請求項４】
前記螺子部（１Ｂ１）に形成された雄ネジが左ネジであることを特徴とする請求項３に記載の釣竿用ギンバル。
【請求項５】
前記円筒部（１Ｂ２）の周囲に巻回されたコイルバネ（１Ｄ）を備えたことを特徴とする請求項３又は４に記載の釣竿用ギンバル。
【請求項６】
請求項１〜５のいずれかに記載の釣竿用ギンバルを備えたことを特徴とする釣竿。
【発明の詳細な説明】
【技術分野】
【０００１】
本発明は、釣竿の竿尻に装着されるギンバル及びこれを備えた釣竿に関する。
【背景技術】
【０００２】
マグロ等の大型魚用の釣竿は、その竿尻にギンバルが装着されている。図６（ａ）は、従来のギンバルの一例を装着した釣竿を概略的に示している。釣竿１００は、竿本体１２０とバット１１０とから構成されている。バット１１０は、一例として、竿尻から順にギンバル１０１、後方グリップ部１０２、リールシート部１０３、前方グリップ部１０４を備えている。図６（ｂ）は（ａ）のギンバル１０１の拡大側面図であり、（ｃ）は後面図である。図６（ｄ）は、ユーザが装着する竿尻支持具の一例であるファイティングベルト（ギンバルベルトとも称される）２００の一例の本体部分を示している。
【０００３】
図６（ｂ）（ｃ）に示すように、従来例のギンバル１０１には、ギンバル本体１０１ａの後面側に十字状の溝１０１ｂが形成されている（特許文献１、２等）。一方、図６（ｄ）に示すファイティングベルト２００の本体２０１は、その両側にユーザの胴部に装着するためのベルト２０４が取り付けられ、その中央部に竿挿入穴２０２が形成されている。さらに竿挿入穴２０２の凹部を横切る係止ピン２０３が設けられている。魚が掛かったときに、ギンバル１０１の溝１０１ｂを係止ピン２０３に係合させることにより、釣竿を竿尻を支点として支持すると共に、釣竿の軸の周りの回転を防止することができる。これにより、ユーザはリールの操作を安定して行うことができる。
【先行技術文献】
【特許文献】
【０００４】
【特許文献１】特開平１１−１５５４２６号公報
【特許文献２】特開２０１５−２０８３０２号公報
【発明の概要】
【発明が解決しようとする課題】
【０００５】
しかしながら、十字状の溝により係止ピンと係合するギンバルは、釣竿の先端方向への力すなわち軸方向に引張り力が掛かると、係止ピンから簡単に外れるという問題があった。
【０００６】
上記の問題点に鑑み、本発明は、ファイティングベルト等の竿尻支持具の係止ピンに確実に係合しかつ引張り力にも対抗することができる釣竿用ギンバル及びこれを備えた釣竿を提供することを目的とする。
【課題を解決するための手段】
【０００７】
上記の目的を達成するために、本発明は、以下の構成を有する。なお、括弧内の数字は、後述する図面中の符号であり、参考のために付するものである。
【０００８】
・  本発明の態様は、釣竿の竿尻を支持する竿尻支持具の係止ピン（２０３）と係合するために釣竿に装着される釣竿用ギンバル（１）であって、
略円筒形のギンバル本体（１Ａ）と、
前記ギンバル本体（１Ａ）の後端面（１Ａ２）における一つの直径（Ｄ）に沿って延在する溝であって前記係止ピン（２０３）を差し込み可能な差込溝（１Ｅ）と、
前記差込溝（１Ｅ）に連続する空間であって前記差込溝（１Ｅ）から差し込まれた前記係止ピン（２０３）が前記ギンバル本体（１Ａ）の軸の周りの所定の角度範囲（α）で回動可能な回動空間（１Ｆ）と、を備えたことを特徴とする。
・  上記態様において、前記角度範囲（α）が３０°〜９０°の範囲内であることが、好適である。
・  上記態様において、前記釣竿に装着するために前記ギンバル本体（１Ａ）の前端面（１Ａ１）から軸方向前方に突出する装着部（１Ｂ）を有し、前記装着部（１Ｂ）が、前方側の螺子部（１Ｂ１）と、後方側の円筒部（１Ｂ２）とを有することが好適である。
・  上記態様において、前記螺子部（１Ｂ１）に形成された雄ネジが左ネジであることが、好適である。
・  上記態様において、前記円筒部（１Ｂ２）の周囲に巻回されたコイルバネ（１Ｄ）を備えたことが、好適である。
・  本発明の別の態様は、上記いずれかの釣竿用ギンバルを備えたことを特徴とする釣竿である。
【発明の効果】
【０００９】
本発明の釣竿用ギンバルは、ファイティングベルト等の竿尻支持具の係止ピンに確実に係合しかつ引張り力にも対抗することができる。また、本発明の釣竿用ギンバルは、ファイティングベルト等に簡単に着脱することができる。
【図面の簡単な説明】
【００１０】
【図１】図１は、本発明のギンバルの一例を装着した釣竿のバットを示す概略斜視図である。
【図２】図２（ａ）は、図１に示した釣竿のバットにおけるギンバル及びその近傍部分のＩ矢視拡大図（平面図）であり、（ｂ）はギンバルを取り外した展開図である。
【図３】図３（ａ）は、図２（ａ）のII−II断面図であり、（ｂ）はギンバルを取り外した状態の断面図である。
【図４】図４（ａ）（ｂ）（ｃ）は、それぞれ図３（ｂ）のIII、IV、Ｖ断面図である。
【図５】図５（ａ）（ｂ）（ｃ）は、本発明のギンバルを装着した釣竿の竿尻をファイティングベルトの係止ピンに係合させる手順を示している。
【図６】図６（ａ）は、従来のギンバルの一例を装着した釣竿を、（ｂ）は（ａ）のギンバルの拡大側面図を、（ｃ）は背面図を示しており、（ｄ）はユーザが装着する竿尻支持具の一例であるファイティングベルトの本体近傍の一例を示している。
【発明を実施するための形態】
【００１１】
以下、本発明の実施例を示した図面を参照して本発明の実施形態を説明する。
本発明の釣竿用ギンバルは、釣竿の竿尻に着脱可能に装着される部品であり、これをファイティングベルト等の竿尻支持具に備えられた係止ピンと係合させることにより、釣竿の竿尻を支持するためのものである。
【００１２】
図１は、本発明の釣竿用ギンバル（以下「ギンバル」と略称する）の一例を装着した釣竿のバットを示す概略斜視図である。図１に示す釣竿のバット１０は、竿尻から順にギンバル１、後方グリップ部２、リールシート部３、前方グリップ部４を備えている。バット１０の長手方向の軸を符号Ｃで示す。説明の便宜上、軸Ｃ方向をバットの前後方向とし、竿本体（図示せず）側を前方、ギンバル側を後方とする。
【００１３】
前方グリップ部４及び後方グリップ部２は、ユーザが釣竿を支持するために把持する部分であり、略円筒形状を有する。図１では、リールシート部３に装着されたリール５を概略的に示している。説明の便宜上、図示の例ではリール５が鉛直方向の真上に装着されているものとし、この方向を上下方向として説明する。なお、本発明のギンバルは、リール５を真上に装着しない場合にも適用可能である。図１に示したバット１０の形状は一例であり、前方グリップ部４、リールシート部３、後方グリップ部２の構成については、図示の例に限られない。
【００１４】
バット１０の材料は、例えばアルミニウム、チタン、カーボン等であり、ギンバル１は、一般的な切削加工により所定の形状に加工されている。
【００１５】
本発明のギンバル１は、バット１０におけるそれ以外の部分に対して着脱可能な部品である。すなわち、ギンバル１は、後部グリップ部２の後端に対して着脱可能である。
【００１６】
図２（ａ）は、図１に示した釣竿のバットにおけるギンバル及びその近傍部分のＩ矢視拡大図すなわち平面図であり、（ｂ）は（ａ）においてギンバルを取り外した状態の展開図である。
図３（ａ）は、図２（ａ）のII−II断面図であり、（ｂ）は（ａ）においてギンバルを取り外した状態の展開断面図である。
図４（ａ）（ｂ）（ｃ）はそれぞれ、図３（ｂ）の概略的なIII矢視図、IV断面図、Ｖ断面図である。
【００１７】
ギンバル１は、略円筒形のギンバル本体１Ａと、ギンバル本体１Ａの前端面１Ａ１から前方に突出する装着部１Ｂとを備えている。
【００１８】
ギンバル本体１Ａの後端面１Ａ２を含む後部には、例えば図６（ｄ）に示したファイティングベルト２００のような竿尻支持具の係止ピン２０３と係合するための係止構造が形成されている。係止ピン２０３は、通常、所定の直径と長さを有する円柱体である。係止ピン２０３の長さは、ギンバル１の直径よりも大きい。
【００１９】
ギンバル本体１Ａの係止構造は、後端面１Ａ２に形成された差込溝１Ｅと、回動空間１Ｆとを有する。図４（ａ）に示すように、差込溝１Ｅは、円形の後端面１Ａ２における一つの直径Ｄに沿って直径Ｄの両端間に延在する所定の幅ｗをもつ溝である。差込溝１Ｅの幅ｗは、係止ピンの直径より若干大きい。また、図３（ｂ）に示す差込溝１Ｅの軸Ｃ方向の長さｄ１も、係止ピンの直径より若干大きく形成されている。これにより、差込溝１Ｅに係止ピンを適宜の余裕を持って差し込むことができる。
【００２０】
なお、実際に釣竿の竿尻をファイティングベルトにより支持する場合、ユーザが装着したファイティングベルト上の係止ピンに対して釣竿のギンバルを近づけて係合させる操作となるが、本明細書中では説明の便宜上、係止ピンの方をギンバルに近づけて係合させるように表現する場合がある。これは、係止ピンとギンバルとが互いに相対的に近づくことを表現しているだけであって、本質的なことではない。係止ピンとギンバルとの相対的な回動についても同様である。
【００２１】
ギンバル本体１Ａにはさらに、回動空間１Ｆが、差込溝１Ｅの奥側（すなわち軸Ｃの前方側）に形成されている。回動空間１Ｆは、差込溝１Ｅに連続する空間である。差込溝１Ｅに差し込まれた係止ピンは、そのままの姿勢で軸Ｃの前方側に移動して回動空間１Ｆに進入することができる。図３（ｂ）に示す回動空間１Ｆの軸Ｃ方向の長さｄ２もまた、係止ピンの直径より若干大きく形成されている。
【００２２】
図４（ｃ）に示すように、回動空間１Ｆは、差込溝１Ｅから差し込まれた係止ピンが、軸Ｃの周りの所定の角度範囲αで回動可能な大きさの空間を有する。この空間は、図４（ｃ）示した境界面１Ｇ１と１Ｈ１との間、及び、境界面１Ｈ２と１Ｇ２との間に拡がっており、軸Ｃに垂直な断面は、２つの略扇形が向き合った形状である。境界面１Ｇ１及び境界面１Ｇ２はそれぞれ、差込溝１Ｅの両壁面の各々と同一面上で軸Ｃ方向において繋がっている。
【００２３】
角度範囲αは、好適には３０°〜９０°の範囲内であるが、この範囲に限定するものではない。
【００２４】
図２及び図３に戻ると、ギンバル本体１Ａの前端面１Ａ１から軸Ｃの前方に向かって装着部１Ｂが突出している。装着部１Ｂの直径は、ギンバル本体１Ａの直径よりも小さい。さらに装着部１Ｂは、前方側の螺子部１Ｂ１と、後方側の円筒部１Ｂ２とを有する。螺子部１Ｂ１は周囲に雄ネジが形成されている。さらに、任意であるが、装着部１Ｂの前端面から軸Ｃに沿って孔１Ｃが形成されている。
【００２５】
螺子部１Ｂ１は、後方グリッド部２の後端部２Ａに穿設された螺子孔２Ｂの雌ネジと螺合可能である。これにより、ギンバル１をバット１０の一部として着脱可能に装着することができる。
【００２６】
好適には、ギンバル１の螺子部１Ｂ１と後方グリッド部２の螺子孔２Ｂとは、一般的な右ネジではなく左ネジとして設けられる。すなわち、ギンバル１は、反時計回りに回すと締め付けられ、時計回りに回すと緩むように設けられる。これにより、魚を釣り上げる際にバット１０に加わる軸周りのトルクによってギンバル１が緩むことを防止できる。さらに、ギンバル１の螺子部１Ｂ１と後方グリッド部２の螺子孔２Ｂとの螺合において、公知のロックナット機構を用いた緩み止めを採用してもよい。
【００２７】
さらに、装着部１Ｂの円筒部１Ｂ２の周囲にはコイルバネ１Ｄが巻回されている。ギンバル１を後方グリッド部２に対して締め付けることにより、コイルバネ１Ｄは、後方グリッド部２の後端部２Ａとギンバル本体１Ａの前端面１Ａ１との間で圧縮される。これにより、コイルバネ１Ｄは、ギンバル１の緩みを防止するロック機能を発揮する。
【００２８】
図５（ａ）（ｂ）（ｃ）は、本発明のギンバルを装着した釣竿の竿尻をファイティングベルトの係止ピンに係合させる手順を示している。図５は概略図であり、釣竿におけるギンバル本体１Ａと、ファイティングベルトにおける係止ピン２０３のみを示している。
【００２９】
ファイティングベルトを装着したユーザが立っているとき、ファイティングベルトの係止ピン２０３は、通常、水平方向を向いている。釣竿の竿尻のギンバル本体１Ａを、係止ピン２０３に係合させたい場合、図５（ａ）に矢印で示すように、先ず、差込溝１Ｅ内に係止ピン２０３を差し込む。このとき、差込溝１Ｅの長手方向が係止ピン２０３と平行、すなわち水平方向である。
【００３０】
図５（ｂ）に示すように、係止ピン２０３を差込溝１Ｅからさらにその奥の回動空間１Ｆまで差し込んだ後、ギンバル本体１Ａを矢印のように回動させる。
【００３１】
図５（ｃ）が、ギンバル本体１Ａを係止ピン２０３に対して完全に回動させた状態である。すなわち、回動可能な角度範囲の上限まで回動させた状態である。これにより、差込溝１Ｅの長手方向は、水平方向に対して所定の角度（図４（ｃ）の角度α参照）をなす。この状態において、ギンバル本体１Ａと係合した係止ピン２０３は、軸Ｃ方向への移動が阻止される。従って、軸Ｃ方向の前方に釣竿を引っ張る力が掛かった場合であっても、ギンバル本体１Ａから係止ピン２０３が離脱しない。
【００３２】
なお、図１に示したリール５をバット１０の真上に位置させるべき場合、図５（ｃ）のように回動を完了した状態で、リール５がバット１０の真上にくるように、差込部１Ｅの位置、回動空間１Ｆの回動範囲、装着部１Ｂの捻じ込み長等を設計する。リール５が真上に位置する場合に限らず、リール５の軸Ｃ周りの向きが決まっている場合は、ギンバル１すなわちバット１０を回動させたときにリール５がその適切な方向に向くようにギンバル１を設計する。もっとも、リール５の軸Ｃの周りの向きを自在に調整可能な構造を有するバットの場合は、リール５の向きを調整すればよい。
【００３３】
本発明はさらに、上述した釣竿用ギンバルを備えた釣竿も提供する。
【００３４】
以上に述べた本発明の釣竿用ギンバルの具体的構成は一例であり、本発明の主旨に含まれる範囲において多様な変形例が考えられる。本発明の釣竿用ギンバルにおける各部位の寸法については、適宜設計されるものであり、特定の範囲に限定されない。
【符号の説明】
【００３５】
１  ギンバル
１Ａ  ギンバル本体
１Ａ１  前端面
１Ａ２  後端面
１Ｂ  円筒部
１Ｃ  螺子部
１Ｄ  コイルバネ
１Ｅ  差込溝
１Ｆ  回動空間
１Ｇ１、１Ｇ２、１Ｈ１、１Ｈ２  回動制限壁
２  リアグリップ部
３  リールシート部
４  前方グリップ部
５  リール
１０  バット
２００  ファイティングベルト（竿尻支持具）
２０１  本体
２０２  竿尻挿入穴
２０３  係止ピン
２０４  ベルト
【図１】
2019154270.tif 000003
【図２】
2019154270.tif 000004
【図３】
2019154270.tif 000005
【図４】
2019154270.tif 000006
【図５】
2019154270.tif 000007
【図６】
2019154270.tif 000008
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
釣竿の竿尻を支持する竿尻支持具の係止ピン（２０３）と係合するために釣竿に装着される釣竿用ギンバル（１）であって、
略円筒形のギンバル本体（１Ａ）と、
前記ギンバル本体（１Ａ）の後端面（１Ａ２）における一つの直径（Ｄ）に沿って延在する溝であって前記係止ピン（２０３）を差し込み可能な差込溝（１Ｅ）と、
前記差込溝（１Ｅ）に連続する空間であって前記差込溝（１Ｅ）から差し込まれた前記係止ピン（２０３）が前記ギンバル本体（１Ａ）の軸の周りの所定の角度範囲（α）で回動可能な回動空間（１Ｆ）と、を備え、
前記釣竿に装着するために前記ギンバル本体（１Ａ）の前端面（１Ａ１）から軸方向前方に突出する装着部（１Ｂ）を有し、前記装着部（１Ｂ）が、前方側の螺子部（１Ｂ１）と、後方側の円筒部（１Ｂ２）とを有し、前記円筒部（１Ｂ２）の周囲に巻回されたコイルバネ（１Ｄ）を具備することを特徴とする釣竿用ギンバル。
【請求項２】
前記角度範囲（α）が３０°〜９０°の範囲内であることを特徴とする請求項１に記載の釣竿用ギンバル。
【請求項３】
前記螺子部（１Ｂ１）に形成された雄ネジが左ネジであることを特徴とする請求項１又は２に記載の釣竿用ギンバル。
【請求項４】
請求項１〜３のいずれかに記載の釣竿用ギンバルを備えたことを特徴とする釣竿。
【手続補正２】
【補正対象書類名】明細書
【補正対象項目名】０００８
【補正方法】変更
【補正の内容】
【０００８】
・  本発明の態様は、釣竿の竿尻を支持する竿尻支持具の係止ピン（２０３）と係合するために釣竿に装着される釣竿用ギンバル（１）であって、
略円筒形のギンバル本体（１Ａ）と、
前記ギンバル本体（１Ａ）の後端面（１Ａ２）における一つの直径（Ｄ）に沿って延在する溝であって前記係止ピン（２０３）を差し込み可能な差込溝（１Ｅ）と、
前記差込溝（１Ｅ）に連続する空間であって前記差込溝（１Ｅ）から差し込まれた前記係止ピン（２０３）が前記ギンバル本体（１Ａ）の軸の周りの所定の角度範囲（α）で回動可能な回動空間（１Ｆ）と、を備え、
前記釣竿に装着するために前記ギンバル本体（１Ａ）の前端面（１Ａ１）から軸方向前方に突出する装着部（１Ｂ）を有し、前記装着部（１Ｂ）が、前方側の螺子部（１Ｂ１）と、後方側の円筒部（１Ｂ２）とを有し、前記円筒部（１Ｂ２）の周囲に巻回されたコイルバネ（１Ｄ）を具備することを特徴とする。
・  上記態様において、前記角度範囲（α）が３０°〜９０°の範囲内であることが、好適である。
・  上記態様において、前記螺子部（１Ｂ１）に形成された雄ネジが左ネジであることが、好適である。
・  本発明の別の態様は、上記いずれかの釣竿用ギンバルを備えたことを特徴とする釣竿である。